(57)【要約】      （修正有）【課題】小型で持ち運びが簡単で小型バックの中にも収納でき、津波等の水害で避難する際に、頭部を水上へ浮上させると共に、頭部が水中に水没した場合でも呼吸する事が可能で、さらに頭部の保護が確実に出来る水難用救命具を提供する。【解決手段】透明の樹脂素材で人間の頭が入るお椀形の袋を作成し、袋には肩紐６を取付けると共に、内部にはエアーバック３，４，５を取付け、緊急時には人間が頭部に被ってエアーバックに息を吹き込む事により、エアーバックが袋内側と首回りに密着し、袋の内部に水が浸入しないように構成した携帯式津波救命具１。【選択図】図１
2014000937.tif 000002
【特許請求の範囲】
【請求項１】
津波の際に頭部に被って避難するための水難用救命具において、透明の樹脂素材で人間の頭が入るお椀形の袋を作成し、袋には肩紐を取付けると共に、内部にはエアーバックを取付け、緊急時には人間が頭部に被ってエアーバックに息を吹き込む事により、エアーバックが袋内側と首回りに密着し、袋の内部に水が浸入しないように構成した事を特徴とする携帯式津波救命具。
【請求項２】
袋には、人間の口に当たる部分に水が進入しない止水弁付の開口部を取付けた事を特徴とする請求項１に記載の携帯式津波救命具。
【請求項３】
小型の酸素ボンベに、人間が自然の空気と酸素ボンベからの酸素を切替えて呼吸する事が出来る呼吸装置を取付け、呼吸装置の呼気を排気する排気管の先端部に笛を内臓すると共に、水が呼吸装置の内部に侵入して来ないように、呼吸装置の先端部に開閉キャップを取付けた事を特徴とする請求項１と２に記載の携帯式津波救命具。
【請求項４】
袋の内部のエアーバックは、首の周囲を一周するドーナッツ状の首回りエアーバックと、その首回りエアーバックと一体となるように成形されて概ね両耳部の近傍に接続され頭上部を周回する頭上部エアーバックと、首前部に装着する首前部エアーバックと、首後部に装着する首後部エアーバックで構成され、それぞれのエアーバックの息吹込口には、空気が逆流しないように逆止弁を取付けた事を特徴とする請求項１に記載の携帯式津波救命具。
【請求項５】
袋の内部の首の周囲を一周する首枕形状の首回りエアーバックは、密封された略円筒形の形状で成形され、先端部と後端部に紐が取付けられると共に、首回りエアーバックと一体となるように成形されて概ね両耳部の近傍に頭上部を周回する上部エアーバックが取付けられ、先端部の息吹込口には、空気が逆流しないように逆止弁を取付けた事を特徴とする請求項１と４に記載の携帯式津波救命具。
【請求項６】
呼吸装置を芯にして袋を丸める事により、通常時には手の平に収まるか、それよりやや大きい程度のサイズに収縮させた事を特徴とする請求項１及至４に記載の携帯式津波救命具。
【発明の詳細な説明】
【技術分野】
【０００１】  本発明は、津波や洪水時に、頭部を含む身体全体が津波や洪水にのみ込まれて息が出来無くなる様な危機的状態に陥っても、頭部に装着し、水上に頭部を浮上させる事により呼吸を可能とし、安全に避難する事が出来る水難用救命具に関するものである。
【背景技術】
【０００２】  水害時に、生命を守り安全に避難するための救命具に関しては、救命胴衣や浮輪等の救命用具が数々提案されており、その中でもライフジャケットは一般に周知されているが、平時に携帯して持ち歩く事を想定せず作られており、そのため外出時に津波等の水害に遭遇し、頭部が水中に水没して呼吸が出来なくなるといった事態にも対応していなかった。【０００３】  このような事から、万一の水害時に備えて、常に携帯する事が可能で、非常時に簡単に装着でき、津波等の災害に対応できる避難具が必要であるが、現実的には、実用化されていないのが現状である。【０００４】  従来から、津波や水害の避難時には、例えば特許文献１のように、ガスボンベとエアーバックを装着し、水難時には自動的に救命袋が膨らむ水難用救命具が発明されている。
【特許文献１】特開平９−３０１２７２
【０００５】  さらに、特許文献２のように、携帯する事ができる携帯用救命浮袋も発明されている。
【特許文献２】特開平９−２４０５８４
【発明の概要】
【発明が解決しようとする課題】
【０００６】  しかしながら、上記したような水難用救命具の場合には、身体を水面に浮かべる事は出来たが、津波等の水害で避難する場合には、一時的に身体全体が水中に水没して水を多量に飲み込み気絶して死亡する場合が多く、従来の水難用救命具において、頭部が水中に水没する事態を想定して作られている製品は無かった。【０００７】  さらに、水難用救命具を使用する際に煩わしい動作を伴うため、身体への装着が正しい手順で行われないと、水難用救命具が機能どおりの能力を発揮出来なくなったり、使用中に救命具が身体から外れたりする事があり、不適切に使用すると人命に関わるといった問題があった。【０００８】  また、従来から一般販売されている本格的な水難用救命具は、サイズが大きくて重く、ふだん持ち歩くバック等に収納する事が出来ないため、外出先で津波等に遭遇した場合においては、その場で水難用救命具を装着して避難する事が出来なかった。【０００９】  本発明は、上記の問題の解決を図るもので、小型で持ち運びが簡単で小型バックの中にも収納でき、津波等の水害で避難する際に、頭部を水上へ浮上させると共に、頭部が水中に水没した場合でも呼吸する事が可能で、さらに頭部の保護が確実に出来る水難用救命具を提供する事を目的とする。
【課題を解決するための手段】
【００１０】  かかる課題を解決するため、請求項１に記載の発明は、津波の際に頭部に被って避難するための水難用救命具において、透明の樹脂素材で人間の頭が入るお椀形の袋を作成し、袋には肩紐を取付けると共に、内部にはエアーバックを取付け、緊急時には人間が頭部に被ってエアーバックに息を吹き込む事により、エアーバックが袋内側と首回りに密着し、袋の内部に水が浸入しないように構成した事を特徴とする。【００１１】  請求項２に記載の発明は、請求項１に記載の構造に加え、袋には、人間の口に当たる部分に水が進入しない止水弁付の開口部を取付けた事を特徴とする。【００１２】  請求項３に記載の発明は、請求項１と２に記載の構造に加え、小型の酸素ボンベに、人間が自然の空気と酸素ボンベからの酸素を切替えて呼吸する事が出来る呼吸装置を取付け、呼吸装置の呼気を排気する排気管の先端部に笛を内臓すると共に、水が呼吸装置の内部に侵入して来ないように呼吸装置の先端部に開閉キャップを取付けた事を特徴とする。【００１３】  請求項４に記載の発明は、請求項１に記載の構造に加え、袋の内部のエアーバックは、首の周囲を一周するドーナッツ状の首回りエアーバックと、その首回りエアーバックと一体となるように成形されて概ね両耳部の近傍に接続され頭上部を周回する頭上部エアーバックと、首前部に装着する首前部エアーバックと、首後部に装着する首後部エアーバックで構成され、それぞれのエアーバックの息吹込口には、空気が逆流しないように逆止弁を取付けた事を特徴とする。【００１４】  請求項５に記載の発明は、請求項１と４に記載の構造に加え、袋の内部の首の周囲を一周する首枕形状の首回りエアーバックは、密封された略円筒形の形状で成形され、先端部と後端部に紐が取付けられると共に、首回りエアーバックと一体となるように成形されて概ね両耳部の近傍に頭上部を周回する上部エアーバックが取付けられ、先端部の息吹込口には、空気が逆流しないように逆止弁を取付けた事を特徴とする。【００１５】  請求項６に記載の発明は、請求項１及至４に記載の構造に加え、呼吸装置を芯にして袋を丸める事により、通常時には手の平に収まるが、それよりやや大きい程度のサイズに収縮させた事を特徴とする。
【発明の効果】
【００１６】  請求項１に記載の発明によれば、津波の際に頭部に被って避難するための水難用救命具において、透明の樹脂素材で人間の頭が入るお椀形の袋を作成し、袋には肩紐を取付けると共に、内部にはエアーバックを取付け、緊急時には人間が頭部に被ってエアーバックに息を吹き込む事により、エアーバックが袋内側と首回りに密着し、袋の内部に水が浸入しないように構成した事により、例えば、地下鉄の構内で津波や洪水等の水害に遭遇して避難するような場合でも、直ちに津波救命具を装着する事が可能で、頭部を含む身体全体が津波や洪水等にのみ込まれて息が出来なくなる様な危機的状態に陥っても、水が鼻や口から大量に体内に入って窒息死するような事態を防ぐ事が可能となった。【００１７】  請求項２に記載の発明によれば、袋には、人間の口に当たる部分に水が進入しない止水弁付の開口部を取付けた事により、呼吸装置の口元吸排気管を開口部から挿入する事が可能になると共に、指を開口部からエアーバックの内部に挿入し、エアーバックの息吹込口を指で挟み口元に導く事が出来るようになった。【００１８】  請求項３に記載の発明によれば、小型の酸素ボンベに、人間が自然の空気と酸素ボンベからの酸素を切替えて呼吸する事が出来る呼吸装置を取付け、呼吸装置の呼気を排気する排気管の先端部に笛を内臓すると共に、水が呼吸装置の内部に侵入して来ないように呼吸装置の先端部に開閉キャップを取付けた事により、頭部が水中に水没した場合でも安定して呼吸をする事ができ、さらに、呼吸するための排気管の内部に笛を取付けておく事により、避難時において救助に駆けつけた救助隊等に対して自分の居場所を的確に知らせる事が可能となった。【００１９】  請求項４に記載の発明によれば、袋の内部のエアーバックは、首の周囲を一周するドーナッツ状の首回りエアーバックと、その首回りエアーバックと一体となるように成形されて概ね両耳部の近傍に接続され頭上部を周回する頭上部エアーバックと、首前部に装着する首前部エアーバックと、首後部に装着する首後部エアーバックで構成され、それぞれのエアーバックの息吹込口には、空気が逆流しないように逆止弁を取付けた事により、津波の中の漂流物から頭部を保護する事が出来るようになると共に、頭上部を被うエアーバックを膨らませる事により、津波救命具の内側と顔面との間に隙間を設ける事が可能となり、さらに首回りを囲うエアーバックと首前部と首後部覆う３個のエアーバックで構成した事により、万一、避難中に１個のエアーバックが破損した場合でも、他のエアーバックが正常に膨らんだ状態を保つため安全に避難する事が出来ると共に、エアーバックに空気を入れるための息吹込口に、空気が逆流しないように自動開閉式の逆止弁を取付けた事により、一度膨らませたエアーバックが窄むのを防ぐ事が可能となった。【００２０】  請求項５に記載の発明によれば、袋の内部の首の周囲を一周する首枕形状の首回りエアーバックは、密封された略円筒形の形状で成形され、先端部と後端部に紐が取付けられると共に、首回りエアーバックと一体となるように成形されて概ね両耳部の近傍に頭上部を周回する上部エアーバックが取付けられ、先端部の息吹込口には、空気が逆流しないように逆止��を取付けた事により、救命具を頭部に被る際に、首回りエアーバックの前部が割れて容易に被る事が可能となり、さらに首回りエアーバックの先端部と後端部に取付けた２本の紐を結んで絞る事により首回りエアーバックの先端部と後端部が密着させる事が可能となり、より一層、首回りとエアーバックとの隙間を無くすように調整する事が出来るようになった。【００２１】  請求項６に記載の発明によれば、呼吸装置を芯にして袋を丸める事により、通常時には手の平に収まるか、それよりやや大きい程度のサイズに収縮させた事により、常にバック等の中に携帯式津波救命具を入れて外出していれば、例えば、地下鉄の構内で津波や洪水等の水害に遭遇して避難するような場合でも、直ちに携帯式津波救命具を装着する事ができ、頭部を含む身体全体が津波や洪水等にのみ込まれて息が出来なくなる様な危機的状態に陥っても、水が鼻や口から大量に体内に入って窒息死するような事態を防ぐ事が可能となった。
【実施例１】
【００２２】  以下、この発明の実施の形態１について説明する。
［発明の実施の形態１］【００２３】  図１及至図４には、この発明の実施の形態１を示す。【００２４】  図１は、本発明の携帯式津波救命具を人間が頭部に装着した状態を、前方向（図１ａ）と横方向（図１ｂ）で示す。【００２５】  携帯式津波救命具１の外皮１３は、人間の頭より少し大きな大きさで、お椀を逆さにした形状の透明樹脂で肩に被さる程度の大きさに成形され、外皮１３の下部の首回りには、人間が息吹込口１０から息を吹込む事でドーナッツ状の浮き輪のように膨らみ、首回りと外皮１３の両方に密着する樹脂製の首回りエアーバック４が配置され、そのエアーバック４と一体となるように成形されて概ね両耳部に近い近傍部分に頭上部を周回する直径が約４ｃｍの逆Ｕの字形をした頭上部エアーバック３が首回りエアーバック４と一体となって配置され、首回りと外皮１３に密着して携帯式津波救命具１の内部へ水が浸入するのを防止する。【００２６】  さらに首回りエアーバック４の下部の首前部には、息吹込口９から息を吹込む事により、首前部と外皮１３の両方に密着する首枕形状をした樹脂製の首前部エアーバック５が配置されると共に、首回りエアーバック４の下部の首後部には、息吹込口１１から息を吹込む事により、首後部と外皮１３の両方に密着する首枕形状をした樹脂製の首後部エアーバック１４が配置され、このように配置されて息を吹込まれた首前部エアーバック５と首後部エアーバック１３が肩上部で密着し、首回りと外皮１３に密着して携帯式津波救命具１の内部へ水が浸入するのを防止する。【００２７】  また、息吹込口９、息吹込口１０、息吹込口１１の内部には空気が逆流するのを防止するため自動開閉式の逆止弁（図示せず）が内臓され、息吹込口９、息吹込口１０、息吹込口１１の先端の息吹込口は口の近くに位置するように配置される。【００２８】  このように、首回りエアーバック４と首前部エアーバック５と首後部エアーバック１４の３個のエアーバックを別々に構成した事により、万一、身体への装着時や避難中に１個のエアーバックが破損した場合でも、他のエアーバックが正常に膨らんだ状態を維持するため、安全に避難する事を可能とすると共に、首回りの上部と下部前後にエアーバックを配置した事により、より一層、首回りからの水の浸入を防ぐ事が可能となった。【００２９】  さらに、携帯式津波救命具１を頭部に被って避難する際に、携帯式津波救命具１が頭部から脱げ落ちないように外皮１３の下部には両腕を抱え込むような形の肩紐６、肩紐７が取付けられる。なお、この肩紐は左右別々に２本の肩紐で構成され、互いの肩紐を腋下部分で結んで固定する事により、身長の差による生ずる携帯式津波救命具１を頭部に被った際の緩みを調節する事が可能となった。【００３０】  図２は、図１で説明した携帯式津波救命具１の外皮１３の口元部分の外皮１３に、くち開口部２０を取付け、人間が頭部に被った状態を人間の前方と横方向から示す。なお、図２においては、くち開口部２０を明確に表示するため、図１で説明した頭上部エアーバック３、首回りエアーバック４、首前部エアーバック５、首後部エアーバック１４を省略して表示している。【００３１】  くち開口部２０の取付け方法は、外皮１３の口元部分に相当する部分に約５ｃｍの穴を開け、その穴に対して少し厚いビニール樹脂で円形状に成形され、中心部には水が進入しないように縦横十字の切れ目２１を入れた、くち開口部２０が接着され、平常時では、くち開口部２０から水の浸入を防ぐと共に、図３で説明する呼吸装置３８の吸気管３５、排気管３４を口へ銜え込む際には、くち開口部２０の切れ目２１を、くち銜え部３２で押し分けて貫通させる事により、くち銜え部３２を口に銜える事が出来る。【００３２】  さらに、切れ目２１に指を押込み、図１で説明した息吹込口９、息吹込口１０、息吹込口１１を指で摘んで口元に誘導する事により、容易に首回りエアーバック４、首前部エアーバック５、首後エアーバック１４に息を吹込む事が出来るようになった。【００３３】  図３は、避難時に人間が酸素を呼吸しながら避難するための呼吸装置３８と、その呼吸装置３８を人間が口に銜えた状態を横方向から示す。なお、図３においては、呼吸装置３８が携帯式津波救命具１に対して、どのような位置関係で装着されるのかを明確に表示するため、図１で説明した頭上部エアーバック３、首回りエアーバック４、首前部エアーバック５、首後部エアーバック１４を省略して表示する。【００３４】  図３ａに示された呼吸装置３８について説明する。呼吸装置３８は酸素ボンベ３６、酸素バルブ開閉ボタン３７、くち銜え部３２、吸排気管３１、開閉キャップ２９から構成され、図３ａの拡大図▲１▼に示した吸気管３５と図３ｂの拡大図▲２▼に示した吸気管４４が吸排気管３１の内部を経由して連結されると共に、図３ａの拡大図▲１▼に示した排気管３４と図３ｂの拡大図▲２▼に示した排気管４３が吸排気管３１の内部を経由して連結される。【００３５】  くち銜え部３２は、柔らかい樹脂でお椀形に成形された、くち当てカバー３３と口元吸排気管２８と、その口元吸排気管２８に内臓された排気管３４と吸気管３５で構成され、口元吸排気管２８を、くち開口部２０の切れ目２１に挿入する事により、口当てカバー３３が携帯式津波救命具１の外皮１３に当接し、くち開口部２０からの水の浸入を防ぐと共に、口で口元吸排気管２８を銜える事が可能となった。【００３６】  さらに、吸排気管３１の長さは、人間が呼吸装置３８を口に銜えた際に、吸排気管３１の最上部が人間の頭上より高くなるような長さに設定する事が重要である。このような長さに設定すれば人間が津波等から避難する際、頭部の一部が水中に没した場合でも、呼吸装置３８がシュノーケルを装着したような形となり呼吸する事が可能となる。さらに、吸排気管３１の上部には開閉キャップ２９が取付けられ、開閉キャップ２９の穴４１に取付けた止めバンド４０を吸排気管３１に取付けたフック３９に引っ掛ける事により、開閉キャップ２９は排気管４３と吸気管４４を塞ぎ、呼吸装置３８が水中に水没した場合でも、排気管４３と吸気管４４からの水の浸入を防ぐ事が可能となった。【００３７】  また、開閉キャップ２９に取付けられた止めバンド４０を携帯式津波救命具１の頭部に取付けたフック３０に引っ掛ける事により、図３ｂで示すように、排気管４３と吸気管４４が開閉キャップ２９より開口され、口に銜えた排気管３４と吸気管３５を利用して外気を吸排気する事が可能となった。【００３８】  呼吸装置３８に取付けられた酸素ボンベ３６には酸素バルブ開閉ボタン３７が取付けられ、酸素ボンベ３６から酸素を送り込む配管（図示せず）は、図３ａの拡大図▲１▼の吸気管３５に接続され、酸素バルブ開閉ボタン３７を押す事により酸素ボンベ３６の中の酸素は吸気管３５から外に噴出す。なお、酸素ボンベ３６からの酸素が図３ｂの拡大図▲２▼で示した、吸気管４４より逆流して外に漏れないように吸気管４４の先端部には自動開閉式の逆止弁（図示せず）が取付けられる。【００３９】  また、酸素ボンベ３６には、連続使用した場合に５分〜７分程度吸気する事が出来、常に携帯する事が容易な小型の酸素ボンベを用い、津波等で避難中の場合でも、頭部が水面より出ている場合においては酸素ボンベ３６の中の酸素の消費を減らすために酸素を吸わず、吸排気管３１の上部の吸気管４４と排気管４３を利用して呼吸を行うようにする。【００４０】  なお、避難する際、図１で説明した頭上部エアーバック３、首回りエアーバック４、首前部エアーバック５、首後部エアーバック１４に人が息を吹込んでも十分に膨らまない場合には、くち開口部２０の切れ目２１から指を押込み、図１で説明した息吹込口９、息吹込口１０、息吹込口１１を指で摘んで外皮１３の外に引き出し、呼吸装置３８の吸気管３５を、息吹込口９、息吹込口１０、息吹込口１１に接続させ、酸素バルブ開閉ボタン３７を押す事により酸素ボンベ３６の酸素を頭上部エアーバック３、首回りエアーバック４、首前部エアーバック５、首後部エアーバック１４に送り込み頭上部エアーバック３、首回りエアーバック４、首前部エアーバック５、首後部エアーバック１４を膨らませる事も出来る。【００４１】  図４は、図１及至図３で説明した携帯式津波救命具１を丸めて折畳んだ状態を示す。図４ａの矢印Ａと矢印Ｂで示した位置で携帯式津波救命具１を半分のサイズに折り（図４ｂに示す）、呼吸装置３８を芯にして図４ｂで説明した携帯式津波救命具１を丸める事により、円筒形で長さが約２０ｃｍの携帯できる携帯式津波救命具１となる。
【実施例２】
【００４２】  以下、この発明の実施の形態２について説明する。
［発明の実施の形態２］【００４３】  図５は、この発明の実施の形態２を示す。上記発明の実施の形態１では、図１において、外皮１３の下部の首回りには、人間が息吹込口１０から息を吹込む事でドーナッツ状の浮き輪のように膨らみ、首と外皮１３の両方に密着する樹脂製の首回りエアーバック４が配置され、そのエアーバック４の概ね両耳に近い部分に頭上部を周回する直径が約４ｃｍの頭上部エアーバック３が首回りエアーバック４と一体となって配置され、首回りと外皮１３に密着して携帯式津波救命具１の内部へ水が浸入するのを防止したのに対して、この発明の実施の形態２では、首回りエアーバック５３は密封された略円筒形の形状の樹脂で形成され、先端部には息を吹込むための息吹込口６０が取付けられ、さらに息吹込口６０の内部には空気が逆流するのを防止するための自動開閉式の逆止弁が内臓され、息吹込口６０の先端の息吹込口が口元の近くに位置するように配置される。さらに首回りエアーバック５３の先端部と後端部には紐５６、紐５７が取付けられ、２本の紐を結んで絞る事により、より一層、首回りと首回りエアーバック５３との隙間を無くすように調整する事が可能となり携帯式津波救命具１の内部へ水の浸入するのを防止する事が可能となる。その他の構造やエアーバックの取付け方法は、この発明の実施の形態１と同様である。【００４４】  以上の実施の形態に基づいて、本発明に係る携帯式津波救命具について詳細に説明してきたが、本発明は、以上の実施の形態に限定されるものではなく、発明の趣旨を逸脱しない範囲において各種の改変をなしても、本発明の技術的範囲に属するのはもちろんである。【００４５】  図１の説明において、外皮１３の形状を、お椀を逆さにした形状と説明したが、外皮１３を製作する際に、外皮１３を透明樹脂で一体成形で製作する方法と、２枚又は複数枚の透明樹脂を溶着又は接着剤でお椀形に接着して一体形状となるように製作する方法があるが、安価に製作でき、携帯式津波救命具１が水没した際に水が携帯式津波救命具の内部に浸入しなければ、いずれの方法で製作する事も可能である。【００４６】  図１の説明において、首回りエアーバック４、首前部エアーバック５、首後部エアーバック１４の材質について樹脂で成形されると説明したが、材質については、収縮性のある樹脂やポリウレタン、ゴム製の素材を使用することも、もちろん可能である。【００４７】  図２において、くち開口部２０について縦横十字の切れ目２１と説明したが、くち開口部２０に取付ける水が浸入しないための止水弁は、これに拘らず２枚の止水弁を使用したり、複数の切れ目を入れる事も、もちろん可能である。【００４８】  図３において、携帯する際の長さを短くするため、吸排気管３１の部分を呼吸装置３８に対して差込式にしたり、伸縮式する事も、もちろん可能である。【００４９】  図３において、開閉キャップ２９は止めバンド４０で固定する方法で説明したが、キャップヒンジ４１にバネの機能を加えて開閉式とする事も、もちろん可能である。
【図面の簡単な説明】
【００５０】
【図１】この発明の実施の形態１に係る、携帯式津波・火災救命具を人間が頭部に被った状態を、人間の前方と横方向から見た状態を示す。
【図２】同実施の形態に係る、携帯式津波救命具の外皮の口に当たる部分に水が浸入しない開口部を取付けた状態を示す。
【図３】同実施の形態に係る、避難時に人間が酸素を呼吸しながら避難するための呼吸装置と、その呼吸装置の操作方法を示す。
【図４】同実施の形態に係る、図１の津波救命具を丸めてコンパクトサイズに収縮させた状態を示す。
【図５】この発明の実施の形態２に係る、携帯式津波救命具を人間が頭部に被った状態を、人間の前方と横方向から見た状態を示す。
【符号の説明】
【００５１】１                  携帯式津波救命具
２                  頭部
３                  頭上部エアーバック
４                  首回りエアーバック
５                  首前部エアーバック
６                  肩紐
７                  肩紐
８                  身体
９                  息吹込口
１０                息吹込口
１１                息吹込口
１２                救命具内部
１３                外皮
１４                首後部エアーバック
２０                くち開口部
２９                開閉キャップ
３０                フック
３１                吸排気管
３２                くち銜え部
３３                くち当カバー
３４                排気管
３５                吸気管
３６                酸素ボンベ
３７                酸素バルブ開閉ボタン
３８                呼吸装置
３９                フック
４０                止めバンド
４１                穴
４２                キャップヒンジ
４３                排気管
４４                吸気管
５０                携帯式津波救命具
５１                頭部
５２                頭上部エアーバック
５３                首回りエアーバック
５４                首前部エアーバック
５５                肩紐
５６                紐
５７                紐
５８                肩紐
５９                身体
６０                息吹込口
６１                息吹込口
６２                息吹込口
６３                救命具内部
６４                外皮
６５                首後部エアーバック
【図１】
2014000937.tif 000003
【図２】
2014000937.tif 000004
【図３】
2014000937.tif 000005
【図４】
2014000937.tif 000006
【図５】
2014000937.tif 000007